(57)【特許請求の範囲】
【請求項１】
基材上に、印刷模様を有し、前記印刷模様は背景領域と潜像領域に区分けされ、
前記背景領域は第１の方向に沿って第１のピッチで配列された盛り上がりのある第１の画線群と、前記第１の画線群に対して略３０〜６０°又は略１２０〜１５０°の異なった方向に配列された前記潜像領域をカムフラージュするための第２の画線群を有し、
前記潜像領域は、前記背景領域を構成する第１の画線群に対して略９０°の異なった第２の方向に沿って第２のピッチで配列された盛り上がりのある第３の画線群と、前記第３の画線群に対して略３０〜６０°又は略１２０〜１５０°の異なった方向に沿って配列された前記潜像領域をカムフラージュするための第４の画線群を有する印刷物であって、
前記第２の画線群及び前記第４の画線群の画線高さは、前記第１の画線群及び前記第３の画線群の画線高さよりも低く、
前記第２の画線群及び前記第４の画線群の画線幅は、前記第１の画線群及び前記第３の画線群の画線幅よりも同じ又は狭く、
前記印刷物を傾けて観察した場合に前記潜像領域が視認されることを特徴とする偽造防止印刷物。
【請求項２】
前記第１の画線群と前記第２の画線群は交差し、前記第３の画線群と前記第４の画線群は交差し、前記第２の画線群及び前記第４の画線群は連続線で繋がっていることを特徴とする請求項１記載の偽造防止印刷物。
【請求項３】
前記第１の画線群と前記第３の画線群の画線高さ、画線幅及び画線ピッチは略同一であり、前記第２の画線群と前記第４の画線群の画線高さ、画線幅及び画線ピッチは略同一であることを特徴とする請求項１又は２記載の偽造防止印刷物。
【請求項４】
前記背景領域を構成する前記第１の画線群と前記第２の画線群は交差することなく、前記潜像領域を構成する前記第３の画線群と前記第４の画線群は交差することがないことを特徴とする請求項１記載の偽造防止印刷物。
【請求項５】
前記第１の画線群、前記第２の画線群、前記第３の画線群及び前記第４の画線群の少なくとも一つの画線の画線幅を異ならせ、及び／又は、前記第２の画線群及び前記第４の画線群の少なくとも一つの画線の長さを異ならせることによって印刷物を真上から観察した場合に視認される画像が形成されることを特徴とする請求項１乃至４のいずれか一項記載の偽造防止印刷物。
【発明の詳細な説明】
【技術分野】
【０００１】
本発明は、図録、図鑑等の美術印刷及び銀行券、株券、債券等の有価証券、各種証明書、貴重印刷物等の偽造防止及び改ざん防止が必要である印刷物において、傾けて観察した場合に印刷模様内に潜像模様が出現することを特徴とする偽造防止印刷物に関するものである。
【背景技術】
【０００２】
従来、銀行券、株券、債券等の有価証券、各種証明書、貴重印刷物等の偽造防止及び改ざん防止が必要である印刷物は、偽造防止技術を付与することが求められ、それらについて、さまざま技術が開示されている。例えば、複雑な配置によって連続階調画像を形成する技術、印刷模様内に潜像画像を埋め込む技術等が知られている。
【０００３】
例えば、複雑な配置によって連続階調画像を形成する技術としては、印刷物上の印刷色を点（断線）及び線等の微細図形群で図柄を構成し、微細図形の形状及び大きさを図柄の連続階調の濃度に従って制御しているものである。連続階調の表現には、網点等の正多角形配列からなる微細構成素子群で構成するスクリーン連続階調表現と、図柄中のモティーフのアウトラインや模様等を絵画的な点（断線）及び細線で構成する線画階調表現方法がある。
【０００４】
絵画的な点（断線）及び細線で構成する線画階調表現方法は、図柄にあるモティーフ（人物、風景、物体、模様等）を、デッサン的描画手法を用いて図柄の明暗（連続階調）や質感を表現するため、図柄中の点（断線）及び細線が交差したり輻輳したりするなど、印刷物上で画線形状及び配置が複雑な様相となる。主な表現方法としては、画線が「線」の場合、画線幅や画線の配置する粗密で図柄の濃度を表現することができる。又、画線が「点」の場合、点の大きさによって図柄の濃度を表現したり、点の粗密によっても図柄の濃度を表現することができる。
【０００５】
絵画的な点（断線）及び細線で構成する線画階調表現方法の代表的な技術として、紙幣の凹版印刷画像に見られるような図柄にあるモティーフ（人物、風景、物体、模様等）の階調表現方法として用いられている。例えば、線画階調表現方法によって点（断線）及び細線で構成する画線を複雑化した画線を有する印刷物は、画線を複雑化が奏することにより、複製を困難にすることができる。また、市場流通過程において拡大鏡等による観察によって、画線形状が真正なものであるか否かを、識別できる方法であるため、証券印刷物等のデザインにおいて世界的に広く用いられていると同時に、金銭的価値を有する印刷物の模様として古くから用いられ、現在でも一般的に高級感を印象づけるデザインとして重要な模様となっており、銀行券、株券、債券等の有価証券、各種証明書及び重要書類等の印刷物において、線画階調表現方法による模様はデザイン上欠かすことのできない模様となっている。
【０００６】
網点等の正多角形配列からなる微細構成素子群で構成するスクリーン連続階調表現は、一般にスクリーンとも呼ばれている。微細構成素子によって印刷物に階調（画線面積率０〜１００％のフルレンジ連続階調）の画像を施すには、階調再現素子群として網点（連続円、楕円、菱形、四角、ライン、クロス、砂目）、万線（走査線）等の画線の面積の大小で連続階調を奏する。網点によるスクリーンは微細な点の大小で連続階調表現を可能にしている。
【０００７】
しかし、スクリーン形状自体は単純エレメントの集合であり、機能性向上手段は一切存在しない。当然のごとく、一般の印刷手段を用いて有価証券を印刷する場合、これらの画線は既存の製版技術又、は画像処理技術にて容易に作成できるので、偽造防止策として成り得ていない。
【０００８】
また、スクリーン連続階調表現と線画階調表現方法は、印刷安定性が高く連続階調再現性の高いものでなくてはならない。例えば、一般的に全ての印刷方式では細線が印刷しにくい現象があり、安定した連続階調再現が不可能になり、条件によって印刷できなくなる場合が生じる。細線が印刷できない原因の殆どは、連続階調再現用の画線が小さく（細く）、印刷インキのレオロジー特性における粘土、降伏価等が影響した転移性が充分に働かなくなるからである。また、凹版印刷方式では印刷インキのレオロジー特性によって凹版版面の凹部から印刷インキが保持されない現象があり、安定した連続階調再現が不可能になり、条件によって印刷できなくなる場合が生じる。印刷インキが保持されない原因の殆どは、連続階調再現用の画線が大きく（太く）、印刷インキの張力による抵抗が働く限界を越えてしまうからである。したがって、印刷インキのレオロジー特性が印刷に有効に働くような画線形状を有することが望ましい。
【０００９】
そこで、図案的意図を反映させることができる連続階調表現方法であり、且つ印刷安定性及び連続階調再現性の高い微細構成素子から成る階調再現素子群が必要となる。すなわち網点、万線等の印刷物上の階調再現素子群でありながら、単位階調再現素子の形状が機能性を有する幾何学図形である集合模様が必要となる。
【００１０】
線画階調表現方法（以下、凹版画線という。）は、図１の印刷物ａ１に示されたように、印刷模様２´の画線群３ａ´と、印刷模様２´の画線群３ｂ´は、画線群３ａ´に対して斜め４５度の角度を持って交差する平行線を奏する画線によって配置されている。また、画線幅（すなわち、画線の長手方向と直交する長さ）については、基本画線である画線群３ａ´の画線幅は、図柄を形成させる上での所定程度の任意な画線幅であり、画線群３ｂ´の画線幅は、画線群３ａ´よりも小さく（細く）及び／又は画線群３ａ´と同じにさせている。ピッチについては、画線面積率に応じて所定のピッチで規則的に配置されている。図１に示された凹版画線の階調は、階調が無い状態で表現されている。図柄にあるモティーフ（人物、風景、物体、模様等）の表現域を広げるにあたり印刷模様２´の相対的な濃度を上げるため、画線群３ａ´と、画線群３ｂ´の画線幅を大きく（太く）させることができるが、大きく（太く）させすぎると凹版インキが保持されずに流れ出る原因になるため、所定程度までしか画線幅を大きく（太く）させることはできない。印刷模様２´の相対的な濃度を上げることは、図３において説明をする。
【００１１】
図１に示された凹版画線の階調は、階調が無い状態であったが、図２においては、階調を表現される画線構成になっている。図２の印刷物ａ２に示されたように、印刷模様２´の画線群３ａ´と、印刷模様２´の画線群３ｂ´は、画線群３ａ´に対して斜め４５度の角度を持って交差する平行線を奏する画線によって配置されている。画線群３ｂ´については、連続階調における濃度段階に従って画線の長さ５（すなわち、画線の長手方向と同じ方向の長さ）が変化され、画線群３ａ´と重ならないよう配置されている。画線の長さ５の変化により凹版画線に階調を表現させることができる。また、画線幅については、基本画線である画線群３ａ´の画線幅は、図柄を形成させる上での所定程度の任意な画線幅であり、画線群３ｂ´の画線幅は、画線群３ａ´よりも小さく（細く）及び／又は画線群３ａ´と同じにさせている。ピッチについては、画線面積率に応じて所定のピッチで規則的に配置されている。印刷模様２´の相対的な濃度を上げることは、図１で説明したように、所定程度までしか画線幅を大きく（太く）することはできない。画線の長さ５が変化されている部分の濃度については、図１の濃度よりも下がっている。しかし、階調の表現はされている。
【００１２】
図３においては、図１、図２で示された画線構成では、印刷模様２´の相対的な濃度を上げることはできなかったが、図３においては、印刷模様２´の相対的な濃度を上げられる画線構成となっている。図３の印刷物ａ３に示されたように、印刷模様２´の画線群３ａ´と、印刷模様２´の画線群３ｂ´は、画線群３ａ´に対して斜め４５度の角度を持って交差する平行線を奏する画線によって配置されている。さらに、印刷模様２´の相対的な濃度を上げるため、印刷模様２´の画線群３ｃ´は、画線群３ａ´と、画線群３ｂ´と重ならない位置に画線が配置されている。また、画線幅については、基本画線である画線群３ａ´の画線幅は、図柄を形成させる上での所定程度の任意な画線幅であり、画線群３ｂ´の画線幅は、画線群３ａ´よりも小さく（細く）及び／又は画線群３ａ´と同じにさせている。また、画線群３ｃ´の画線幅と画線の長さは、画線群３ａ´と、画線群３ｂ´と重ならない画線幅と画線の長さであれば、任意である。ピッチについては、画線面積率に応じて所定のピッチで規則的に配置されている。図３に示された凹版画線の階調は、階調が無い状態で表現されている。印刷模様２´の相対的な濃度は、図１、図２の濃度よりも上がっている。
【００１３】
図３に示された凹版画線の階調は、階調が無い状態であったが、図４においては、階調を表現される画線構成になっている。図４の印刷物ａ４に示されたように、印刷模様２´の画線群３ａ´と、印刷模様２´の画線群３ｂ´は、画線群３ａ´に対して斜め４５度の角度を持って交差する平行線を奏する画線によって配置されている。さらに、印刷模様２´の相対的な濃度を上げるため、印刷模様２´の画線群３ｃ´は、画線群３ａ´と、画線群３ｂ´と重ならない位置に画線が配置されている。画線群３ｂ´については、連続階調における濃度段階に従って画線の長さ５が変化され、画線群３ａ´と重ならないよう配置されている。画線の長さ５の変化により凹版画線に階調を表現させることができる。また、画線幅については、基本画線である画線群３ａ´の画線幅は、図柄を形成させる上での所定程度の任意な画線幅であり、画線群３ｂ´の画線幅は、画線群３ａ´よりも小さく（細く）及び／又は画線群３ａ´と同じにさせている。また、画線群３ｃ´の画線幅と画線の長さは、画線群３ａ´と、画線群３ｂ´と重ならない画線幅と画線の長さであれば、任意である。ピッチについては、画線面積率に応じて所定のピッチで規則的に配置されている。印刷模様２´の相対的な濃度は、図１、図２の濃度よりも上がっている。画線の長さ５が変化されている部分の濃度については、図３の濃度よりも下がっている。しかし、階調の表現はされている。
【００１４】
図１から図４で説明した凹版画線については、基本的な構成であり、画線群３ｂ´を画線群３ａ´に対して斜め４５度の角度を持って交差する平行線を奏する画線で表わされているが、画線群３ａ´と交差する線であれば、交差角度と平行を限定するものではない。また、画線群３ｃ´を平行線を奏する画線で表わされているが、画線群３ａ´と、画線群３ｂ´と重ならなければ、線や点の形状及び角度を限定するものではない。これら基本的な凹版画線の構成については、本発明を理解する上で重要なものである。
【００１５】
また、ハイライト部が点、中間部からシャドウ部が線で表現され、且つそれら点又は線が互いに並行に配置された第１の画線群と、中間部から始まりシャドウ部にかけて線で表現され且つそれら線が第１の画線群に対して任意の角度をもって交差しながら互いに並行に配置された第２の画線群と、点で表現され且つそれら点の中心点が第１の画線群の画線の中心線及び第２の画線群の画線の中心線とは重ならないよう配置された第３の画線群との、少なくとも三つの画線群で構成された連続階調表現用集合模様を有する印刷物である（例えば、特許文献１）。
【００１６】
一方、印刷模様内に潜像画像を埋め込む技術としては、図５の印刷物ａ５に示すように印刷基材上に縦横の画線の配列によって構成される背景領域３´及び潜像領域４´から成る印刷模様２´を凹版印刷することで、印刷面を真上から観察した場合に潜像領域４´は印刷物を傾けて観察した場合に比べて確認し難いが、図６に示すように印刷物を傾けて観察した場合に文字「Ｐ」の潜像領域４´が潜像模様として顕像化される印刷物「以下、潜像凹版という。」が開示されている（例えば、特許文献２）。
【００１７】
さらに、図７は、凹版画線と潜像凹版を組み合わせた印刷物ａ６を示している。枠模様６の楕円の外側が凹版画線の画線構成が示され、枠模様６の楕円の内側が潜像凹版の画線構成が示されている。枠模様６の楕円の外側については、印刷物に示されたように、印刷模様２´の画線群３ａ´と、印刷模様２´の画線群３ｂ´は、画線群３ａ´に対して斜め４５度の角度を持って交差する平行線を奏する画線によって配置されている。画線群３ｂ´については、連続階調における濃度段階に従って画線の長さ５が変化され、画線群３ａ´と重ならないよう配置されている。画線の長さ５の変化により凹版画線に階調を表現させることができる。また、画線幅については、基本画線である画線群３ａ´の画線幅は、図柄を形成させる上での所定程度の任意な画線幅であり、画線群３ｂ´の画線幅は、画線群３ａ´よりも小さく（細く）及び／又は画線群３ａ´と同じにさせている。ピッチについては、画線面積率に応じて所定のピッチで規則的に配置されている。枠模様６の楕円の内側については、印刷物に示されたように、印刷模様２´の画線群３ａ´と、潜像領域４´を成す画線群４ａ´は、画線群３ａ´に対して９０度の角度を持って平行線を奏する画線によって配置されている。また、画線幅については、基本画線である画線群３ａ´の画線幅は、図柄を形成させる上での所定程度の任意な画線幅であり、画線群４ａ´の画線幅は、画線群３ａ´と同じにさせている。さらに、枠模様６の楕円の外側と内側の画線群３ａ´の画線幅は、同じである。ピッチについては、画線面積率に応じて所定のピッチで規則的に配置されている。この印刷物の印刷面を真正面から見て観察した場合、施されている潜像領域４´の「Ｐ」文字がより認識できないように、カモフラージュ模様７を画線群３ａ´と画線群４ａ´のそれぞれにまたがるカモフラージュ模様７を施した。このカモフラージュ模様７は、印刷模様２´中の画線群３ａ´と画線群４ａ´の画線幅を部分的に変えていることにより、印刷物ａ６を真正面からの観察した際に模様として認識することができるものである。
【先行技術文献】
【特許文献】
【００１８】
【特許文献１】特許第３７２１８２３号
【特許文献２】特公昭５６−１９２７３号
【発明の概要】
【発明が解決しようとする課題】
【００１９】
しかしながら、特許文献１に記載されている印刷物は、偽造防止及び改ざん防止には優れるが、真偽判別する者が真偽判別する際にルーペ等の拡大鏡によって真偽判別する必要があり、誰もが容易に真偽判別することを可能にするための問題があった。また、特許文献２に記載されている印刷物は、図５に示すように異なる画線の配列方向によって背景領域３´及び潜像領域４´を形成した場合に、真上から印刷物を観察した場合に潜像模様が視認される問題があった。
【００２０】
また、図７に示すように凹版画線と潜像凹版の異なる画線の配列方向によって背景領域３´及び潜像領域４´を形成した場合に、凹版画線で作製した図柄にあるモティーフ（人物、風景、物体、模様等）に潜像凹版を入れようとすると凹版画線の画線構成と潜像凹版の画線構成が違うため、画線どうしがなじまず、違和感が生じる問題があった。
【００２１】
そこで、凹版画線の領域と、潜像凹版の領域を領域分けして、その領域と領域を結ぶため枠模様６の楕円を形成したり、さらに、領域を分けることにより楕円の領域内の画線が強調され、潜像領域４´の「Ｐ」文字が認識しやすくなるので、カモフラージュ模様７を形成することで上記問題の解決を試みたが、領域どうしの違和感緩和と凹版画線と特許文献２の組み合わせを可能にするために形成した枠模様６の楕円と、潜像領域４´の「Ｐ」文字がより認識できないように形成したカモフラージュ模様７が意匠性の面から見ると、あくまでも枠模様６の楕円とカモフラージュ模様７は、独立した各エレメント（図形）なので画線どうしがなじまず、さらなる違和感を生じ、意匠性に優れない問題があった。
【００２２】
以上のことから、本発明は、前述した問題点を解決することを目的としたものであり、異なる画線の配列方向で背景領域及び潜像領域を形成する構成であっても、印刷物を真上から観察した場合に容易に潜像模様が視認される問題を解決するとともに、所定の図柄内に潜像模様が形成された印刷模様が違和感なく配置することが可能な偽造防止印刷物を提供するものである。
【課題を解決するための手段】
【００２３】
本発明の偽造防止印刷物は、基材上に、印刷模様を有し、印刷模様は背景領域と潜像領域に区分けされ、背景領域は第１の方向に沿って第１のピッチで配列された盛り上がりのある第１の画線群と、第１の画線群に対して略３０〜６０°又は略１２０〜１５０°の異なった方向に配列された潜像領域をカムフラージュするための第２の画線群を有し、潜像領域は、背景領域を構成する第１の画線群に対して略９０°の異なった第２の方向に沿って第２のピッチで配列された盛り上がりのある第３の画線群と、第３の画線群に対して略３０〜６０°又は略１２０〜１５０°の異なった方向に沿って配列された潜像領域をカムフラージュするための第４の画線群を有する印刷物であって、印刷物を傾けて観察した場合に潜像領域が視認されることを特徴とする。
【００２４】
本発明の偽造防止印刷物の第２の画線群及び第４の画線群の画線高さは、第１の画線群及び第３の画線群の画線高さよりも低く、第２の画線群及び第４の画線群の画線幅は、第１の画線群及び第３の画線群の画線幅よりも狭いことを特徴とする。
【００２５】
本発明の偽造防止印刷物は、第１の画線群と第２の画線群は交差し、第３の画線群と第４の画線群は交差し、第２の画線群及び第４の画線群は連続線で繋がっていることを特徴とする。
【００２６】
本発明の偽造防止印刷物は、第１の画線群と第３の画線群の画線高さ、画線幅及び画線ピッチは略同一であり、第２の画線群と第４の画線群の画線高さ、画線幅及び画線ピッチは略同一であることを特徴とする。
【００２７】
本発明の偽造防止印刷物は、背景領域を構成する第１の画線群と第２の画線群は交差することなく、潜像領域を構成する第３の画線群と第２の画線群は交差することがないことを特徴とする。
【００２８】
本発明の偽造防止印刷物は、第１の画線群、第２の画線群、第３の画線群及び第４の画線群の少なくとも一つの画線の画線幅を異ならせ、及び／又は、第２の画線群及び第４の画線群の少なくとも一つの画線の長さを異ならせることによって印刷物を真上から観察した場合に視認される画像が形成されることを特徴とする。
【発明の効果】
【００２９】
本発明の偽造防止印刷物は、印刷物を真上から観察した場合に容易に潜像模様が視認され難いため、印刷物を真上から観察した場合と傾けて観察した場合の模様のスイッチ効果に優れ、真偽判別する者が容易に真偽判別することができる。また、本発明の偽造防止印刷物は従来用いられていた、印刷物を真上から観察した場合に容易に潜像領域が視認され難くするためのカモフラージュ模様を設ける必要がない。
【００３０】
凹版画線等で作製した図柄にあるモティーフ（人物、風景、物体、模様等）内に本発明の潜像模様が形成された印刷模様がなじみ、違和感がなくなり意匠性に優れる。
【００３１】
凹版画線等で作製した図柄にあるモティーフ（人物、風景、物体、模様等）内に本発明の印刷模様の画線構成を複数違う情報として自由に入れられるようになり、図柄にあるモティーフ（人物、風景、物体、模様等）の形状や大きさ、配置位置の制限がなく、意匠性の自由度が得られる。
【００３２】
凹版画線等で作製した図柄にあるモティーフ（人物、風景、物体、模様等）内に本発明の潜像模様が形成された印刷模様がなじみ、本発明の潜像模様が形成された印刷模様と図柄の分割が困難になり、偽造や変造が容易でなくなり、偽造防止策が高まった。
【図面の簡単な説明】
【００３３】
【図１】凹版画線の画線構成を示した説明図。
【図２】凹版画線の画線構成に階調を加えたことを示した説明図。
【図３】凹版画線の画線構成を示した説明図。
【図４】凹版画線の画線構成に階調を加えたことを示した説明図。
【図５】潜像凹版の画線構成を示した説明図。
【図６】潜像凹版の図５に示された印刷物の斜視図。
【図７】凹版画線と潜像凹版を組み合わせた画線構成を示した説明図。
【図８】本発明の偽造防止印刷物Ａ１の説明図。
【図９】本発明の立体的な画線構成の一部を示した説明図。
【図１０】本発明の立体的な画線構成を示した説明図。
【図１１】本発明の立体的な画線構成の一部を示した説明図。
【図１２】本発明の偽造防止印刷物Ａ２の説明図。
【図１３】本発明の図１０に示された偽造防止印刷物Ａ１の斜視図。
【図１４】画線の角度と形状と画線幅のバリエーションを示した説明図。
【図１５】画線の角度と形状と画線幅のバリエーションを示した説明図。
【図１６】本発明の画線構成のバリエーションを示した説明図。
【図１７】本発明の画線構成のバリエーションを示した説明図。
【図１８】本発明の画線構成のバリエーションを示した説明図。
【図１９】本発明の画線構成のバリエーションを示した説明図。
【図２０】本発明の画線構成のバリエーションを示した説明図。
【図２１】本発明の画線構成のバリエーションを示した説明図。
【図２２】本発明の画線構成をモティーフ（人物、風景、物体、模様等）に入れたときの画線構成の一部の拡大図。
【図２３】本発明の画線構成をモティーフ（人物、風景、物体、模様等）に入れたときの画線構成の一部の拡大図。
【図２４】本発明の画線構成をモティーフ（人物、風景、物体、模様等）に入れたときのバリエーションを示した説明図。
【発明を実施するための形態】
【００３４】
本発明の実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００３５】
図８は、本発明の偽造防止印刷物Ａ１の概略図である。偽造防止印刷物Ａ１は、基材１上に印刷模様２を有する。印刷模様２は背景領域３と潜像領域４に区分けされる。
【００３６】
（実施の形態１）
背景領域３は第１の方向に第１のピッチで配列された第１の画線群３ａと、第１の画線群３ａに対して異なった方向に配列された潜像領域４をカムフラージュするための第２の画線群３ｂから成る。背景領域３を構成する第２の画線群３ｂは、第１の画線群３ａに対して略４５°の異なった方向で配列することが好ましい。潜像領域４は、背景領域３を構成する第１の画線群３ａに対して略９０°の異なった第２の方向に第２のピッチで配列された第３の画線群４ａと、第３の画線群４ａに対して異なった方向に配列された潜像領域４をカムフラージュするための画線群４ｂから成る。潜像領域４を構成する画線群４ｂは、第３の画線群４ａに対して略４５°の異なった方向で配列することが好ましい。背景領域３を構成する第２の画線群３ｂと潜像領域４を構成する画線群４ｂは、偽造防止印刷物Ａ１を真上から観察した場合に潜像領域４が確認されてしまう問題を防ぐためのカムフラージュ効果を有する。
【００３７】
背景領域３を構成する第１の画線群３ａと第２の画線群３ｂの関係、潜像領域４を構成する第３の画線群４ａと画線群４ｂの関係について、さらに詳しく説明する。図８では、背景領域３を構成する第１の画線群３ａと第２の画線群３ｂは、交差しているが本発明はこの形態に限定されることなく、図１８に示すように第１の画線群３ａと第２の画線群３ｂは交差しない形態であっても本発明の効果を奏することができる。同様に、潜像領域４を構成する第３の画線群４ａと画線群４ｂは、交差しているが本発明はこの形態に限定されることなく、図１８に示すように第３の画線群４ａと画線群４ｂは交差しない形態であっても本発明の効果を奏することができる。交差する形態において、背景領域３を構成する第２の画線群３ｂと潜像領域４を構成する画線群４ｂは連続線で繋がっている構成であってもよい。
【００３８】
第２の画線群３ｂ及び第４の画線群４ｂの画線高さは、第１の画線群３ａ及び第３の画線群４ａの画線高さよりも低く、第２の画線群３ｂ及び第４の画線群４ｂの画線幅は、第１の画線群３ａ及び第３の第３の画線群４ａの画線幅よりも狭く、第１の画線群３ａと第３の画線群４ａの画線ピッチは略同一であり、第２の画線群３ｂと第４の画線群４ｂの画線ピッチは略同一であり、第２の画線群３ｂと第４の画線群４ｂが連続線で繋がっている形態であることが好ましい。この理由は、図１３に示すように偽造防止印刷物Ａ１を傾けて観察した場合に潜像領域４の「Ｐ」文字がより認識しやすくするためである。潜像領域４の「Ｐ」文字が顕像と視認される理由は、凹版画線のインキの明度と基材の明度との明度差によるものであり、この明度差が高く（大きく）なると潜像領域４の「Ｐ」文字の視認がしやすくなり、この明度差が低く（小さく）なると潜像領域４の「Ｐ」文字の視認がしにくくなり、視認を妨げることになる。すなわち、基材が凹版画線に隠れるか隠れないかによって明度に影響を及ぼすことになる。潜像領域４の「Ｐ」文字がより視認しやすくなる条件は、第２の画線群３ｂと第４の画線群４ｂの上記の構成要素を充たし、凹版画線のインキが低明度（高濃度）の黒色で、基材が高明度（低濃度）の白色の場合、明度差がもっとも高く（大きく）なるので、より視認しやすくなる条件として最適である。すなわち、第２の画線群３ｂと第４の画線群４ｂの画線高さ及び画線幅は、第１の画線群３ａと第３の画線群４ａより画線高さを低く、画線幅を狭くすることにより、偽造防止印刷物Ａ１を傾けて観察した場合に第２の画線群３ｂと第４の画線群４ｂで隣り合う画線との視角によって重なり合うことがなくなり、基材を凹版画線が隠すことがなくなり、凹版画線のインキの明度と基材の明度との明度差が高く（大きく）なり潜像領域４の「Ｐ」文字がより認識しやすくなる。
【００３９】
第１の画線群３ａと第３の画線群４ａの画線高さ、画線幅及び画線ピッチは略同一であり、第２の画線群３ｂと第４の画線群４ｂの画線高さ、画線幅及び画線ピッチは略同一であることが好ましい。第１の画線群３ａ、第２の画線群３ｂ、第３の画線群４ａ及び第４の画線群４ｂの画線幅は、５０μｍ〜３００μｍが好ましい。また、第１の画線群３ａ、第２の画線群３ｂ、第３の画線群４ａ及び第４の画線群４ｂの画線ピッチは、１００μｍ〜６００μｍが好ましい。また、第１の画線群３ａ、第２の画線群３ｂ、第３の画線群４ａ及び第４の画線群４ｂの画線高さは、２０μｍ〜１００μｍが好ましい。
【００４０】
図９は、本発明の特徴である画線の立体的な構成が示された説明図である。また、図９に示された背景領域３を成す背景部８ａと潜像領域４を成す潜像部８ｂは、図１０に示された背景領域３を成す背景部８ａと潜像領域４を成す潜像部８ｂを示されている。図９に示されている画線は、図１０に示された画線の一部を示されているので、図９に示されている画線のことを画線群と称している。図９に示されたように、印刷模様２は、背景領域３を成す背景部８ａと潜像領域４を成す潜像部８ｂで構成されている。また、背景領域３を成す背景部８ａと潜像領域４を成す潜像部８ｂは、長手方向に隣合せで配置されている。背景領域３を成す背景部８ａと潜像領域４を成す潜像部８ｂのそれぞれの構成として、背景領域３を成す背景部８ａは、印刷面からの盛り上がりの高さが同じで長手方向に平行して構成された第１の画線群３ａは、長手方向に対して垂直方向に沿って所定のピッチで規則的に配置されている。また、第２の画線群３ｂは、第１の画線群３ａよりも盛り上がりの高さが低く、第１の画線群３ａに対して斜め４５度の角度を持って交差して構成されている。すなわち、第２の画線群３ｂは、第１の画線群３ａの高さ以下とする。潜像領域４を成す潜像部８ｂは、印刷面からの盛り上がりの高さが同じで垂直方向に平行して構成された第３の画線群４ａは、垂直方向に対して長手方向に沿って所定のピッチで規則的に配置されている。また、第４の画線群４ｂは、第３の画線群４ａよりも盛り上がりの高さが低く、第３の画線群４ａに対して斜め４５度の角度を持って交差して構成されている。すなわち、第４の画線群４ｂは、第３の画線群４ａの高さ以下とする。さらに、背景領域３を成す背景部８ａの第１の画線群３ａと潜像領域４を成す潜像部８ｂの第３の画線群４ａの高さは同じに構成され、背景領域３を成す背景部８ａの第２の画線群３ｂと潜像領域４を成す潜像部８ｂの第４の画線群４ｂは、高さが同じで平行して構成されている。またさらに、画線幅については、背景領域３の基本画線である第１の画線群３ａの画線幅は、図柄を形成させる上での所定程度の任意な画線幅であり、第２の画線群３ｂの画線幅は、第１の画線群３ａよりも小さく（細く）及び／又は第１の画線群３ａと同じにさせている。潜像領域４の基本画線である第３の画線群４ａの画線幅は、図柄を形成させる上での所定程度の任意な画線幅であり、第４の画線群４ｂの画線幅は、第３の画線群４ａよりも小さく（細く）及び／又は第３の画線群４ａと同じにさせている。第１の画線群３ａと第３の画線群４ａの画線幅は、同じにさせ、第２の画線群３ｂと第４の画線群４ｂの画線幅は、同じにさせている。ピッチについては、画線面積率に応じて所定のピッチで規則的に配置されている。
【００４１】
また、本発明の特徴である第２の画線群３ｂと第４の画線群４ｂの構成要素について、さらに詳しく説明する。図１３に示されたように偽造防止印刷物Ａ１を斜めから観察した場合、潜像領域４の「Ｐ」文字が顕像と視認される理由は、凹版画線のインキの明度と基材の明度との明度差によるものであり、この明度差が高く（大きく）なると潜像領域４の「Ｐ」文字の視認がしやすくなり、この明度差が低く（小さく）なると潜像領域４の「Ｐ」文字の視認がしにくくなり、視認を妨げることになる。すなわち、基材が凹版画線に隠れるか隠れないかによって明度に影響を及ぼす。この視認の妨げとなり、明度に影響を及ぼす要因は三つある。
【００４２】
一つ目は、仮に第２の画線群３ｂと第４の画線群４ｂの画線高さは、第１の画線群３ａと第３の画線群４ａより高く（以上）、第２の画線群３ｂと第４の画線群４ｂの画線幅は、第１の画線群３ａと第３の画線群４ａよりも小さく（細く）及び／又は第１の画線群３ａと第３の画線群４ａと同じにさせ、第２の画線群３ｂと第４の画線群４ｂの画線ピッチは、第１の画線群３ａと第３の画線群４ａのそれぞれの画線面積率より低く（明るく）なるよう画線幅に応じてピッチを調整して、偽造防止印刷物Ａ１を斜めから観察した場合、画線高さによって第２の画線群３ｂと第４の画線群４ｂで隣り合う画線との視角によって重なり合うため、基材を凹版画線が隠してしまい、凹版画線のインキの明度と基材の明度との明度差が低く（小さく）なり、潜像領域４の「Ｐ」文字の視認を妨げることになる。
【００４３】
二つ目は、仮に第２の画線群３ｂと第４の画線群４ｂの画線高さは、第１の画線群３ａと第３の画線群４ａより低く（以下）、第２の画線群３ｂと第４の画線群４ｂの画線幅は、第１の画線群３ａと第３の画線群４ａよりも小さく（細く）及び／又は第１の画線群３ａと第３の画線群４ａと同じにさせ、第２の画線群３ｂと第４の画線群４ｂの画線ピッチは、第１の画線群３ａと第３の画線群４ａのそれぞれの画線面積率より高く（暗く）なるよう画線幅に応じてピッチを調整して、偽造防止印刷物Ａ１を斜めから観察した場合、画線ピッチによって第２の画線群３ｂと第４の画線群４ｂで隣り合う画線との視角によって重なり合うため、基材を凹版画線が隠してしまい、凹版画線のインキの明度と基材の明度との明度差が低く（小さく）なり、潜像領域４の「Ｐ」文字の視認を妨げることになる。
【００４４】
三つ目は、仮に第２の画線群３ｂと第４の画線群４ｂの画線高さは、第１の画線群３ａと第３の画線群４ａより高く（以上）、第２の画線群３ｂと第４の画線群４ｂの画線幅は、第１の画線群３ａと第３の画線群４ａよりも小さく（細く）及び／又は第１の画線群３ａと第３の画線群４ａと同じにさせ、第２の画線群３ｂと第４の画線群４ｂの画線ピッチは、第１の画線群３ａと第３の画線群４ａのそれぞれの画線面積率より高く（暗く）なるよう画線幅に応じてピッチを調整して、偽造防止印刷物Ａ１を斜めから観察した場合、画線高さと画線ピッチによって第２の画線群３ｂと第４の画線群４ｂで隣り合う画線との視角によって重なり合うため、基材を凹版画線が隠してしまい、凹版画線のインキの明度と基材の明度との明度差が低く（小さく）なり、潜像領域４の「Ｐ」文字の視認を妨げることになる。
【００４５】
すなわち、第２の画線群３ｂと第４の画線群４ｂの構成要素は、画線高さが第１の画線群３ａと第３の画線群４ａより低く（以下）、画線幅が第１の画線群３ａと第３の画線群４ａよりも小さく（細く）及び／又は第１の画線群３ａと第３の画線群４ａと同じにし、画線ピッチが第１の画線群３ａと第３の画線群４ａのそれぞれの画線面積率より低く（明るく）なるよう画線幅に応じてピッチを調整して構成されている。例えば、図１３に示されたように偽造防止印刷物Ａ１を斜めから観察した場合、潜像領域４の「Ｐ」文字が顕像として、より視認しやすくなる条件は、第２の画線群３ｂと第４の画線群４ｂの上記の構成要素を充たし、凹版画線のインキが低明度（高濃度）の黒色で、基材が高明度（低濃度）の白色の場合、明度差がもっとも高く（大きく）なるので、より視認しやすくなる条件として最適である。
【００４６】
さらに、本実施の形態１では、背景領域３を成す背景部８ａと潜像領域４を成す潜像部８ｂは、長手方向に隣合せで表わされているが、潜像領域４を成す潜像部８ｂの潜像になる文字や図形の形状により配置位置は、上下左右のいずれかに配置される。さらに、第２の画線群３ｂを第１の画線群３ａに対して、最も良い形態である斜め４５度の角度を持って交差する平行線を奏する画線で表わされているが、交差角度については限定されるものではない、だだし、本発明の作用の低下を防ぐために、第２の画線群３ｂを第１の画線群３ａに対して略３０〜６０°又は略１２０〜１５０°の異なった方向に配列されることが好ましい。また、第４の画線群４ｂを第３の画線群４ａに対して最も良い形態である斜め４５度の角度を持って交差する平行線を奏する画線で表わされているが、交差角度については限定されるものではない、だだし、本発明の作用の低下を防ぐために、第４の画線群４ｂを第３の画線群４ａに対して、略３０〜６０°又は略１２０〜１５０°の異なった方向に配列されることが好ましい。また、本実施の形態１では、背景領域３を成す背景部８ａの第２の画線群３ｂと潜像領域４を成す潜像部８ｂの第４の画線群４ｂは、平行線で表わされているが、第１の画線群３ａと第３の画線群４ａと交差する線であれば、平行を限定するものではない。
【００４７】
図１０は、図９の構成を本発明の構成に配置された説明図である。図１０の偽造防止印刷物Ａ１に示されたように、印刷模様２は、背景領域３を成す背景部８ａと、潜像領域４を成す潜像部８ｂで構成されている。背景領域３を成す背景部８ａは、印刷模様２の背景を成す所定の位置に長手方向と垂直方向の両方向に沿って所定のピッチで規則的に配置され、潜像領域４を成す潜像部８ｂは、印刷模様２の潜像を成す所定の位置に長手方向と垂直方向の両方向に沿って所定のピッチで規則的に配置されている。すなわち、背景領域３を成す背景部８ａは、「Ｐ」文字以外の所定の位置に同じ背景領域３を成す背景部８ａを配置され、潜像領域４を成す潜像部８ｂは、「Ｐ」文字の所定の位置に同じ潜像領域４を成す潜像部８ｂを配置されている。ただし、図１０に示すように階調が無い場合に限り、背景領域３を成す背景部８ａと潜像領域４を成す潜像部８ｂを所定の位置に同じものを配置できる。しかし、図１８に示すように階調が連続階調における濃度段階を有する場合は、その限りではない。図１８について、背景領域３を成す背景部８ａと潜像領域４を成す潜像部８ｂは、連続階調における濃度段階に従った背景領域３を成す背景部８ａと潜像領域４を成す潜像部８ｂを所定の位置に配置されている。図１０に示すような階調が無い場合は、図１２、図１６、図１７にも示されている。図１８に示すような階調が連続階調における濃度段階を有する場合は、図１９、図２０、図２１にも示されている。
【００４８】
前述したように図１３は、本発明の図１０に示された偽造防止印刷物Ａ１の斜視図である。この印刷物の印刷面を真正面から見て観察した場合、施されている潜像領域４の「Ｐ」文字を容易に認識することができないが、図１３に示されたように、斜めから観察した場合、例えば、凹版インキのような盛り上がった画線では、第１の画線群３ａで隣り合う画線との視角によって重なり合うため、実際の潜像部を成す第３の画線群４ａよりも低明度（高濃度）となる。これにより、潜像領域４の「Ｐ」文字が顕像となって出現する。
【００４９】
（実施の形態２）
図１１は、本発明の特徴である画線の立体的な構成が示された説明図である。また、図１１に示された背景領域３を成す背景部８ａと潜像領域４を成す潜像部８ｂは、図１２に示された背景領域３を成す背景部８ａと潜像領域４を成す潜像部８ｂを示されている。図１１に示されている画線は、図１２に示された画線の一部を示されているので、図１１に示されている画線のことを画線群と称している。図１１の偽造防止印刷物Ａ２に示されたように、印刷模様２は、背景領域３を成す背景部８ａと、潜像領域４を成す潜像部８ｂで構成されている。また、背景領域３を成す背景部８ａと潜像領域４を成す潜像部８ｂは、長手方向に隣合せで配置されている。背景領域３を成す背景部８ａと潜像領域４を成す潜像部８ｂのそれぞれの構成として、背景領域３を成す背景部８は、印刷面からの盛り上がりの高さが同じで長手方向に平行して構成された第１の画線群３ａと、第１の画線群３ａよりも低い盛り上がりの高さが同じで長手方向に平行して構成された第１の画線群３ａ´´が配置されている。また、第２の画線群３ｂは、第１の画線群３ａ´´と同じ盛り上がりの高さが同じで、第１の画線群３ａと第１の画線群３ａ´´に対して斜め４５度の角度を持って交差して構成されている。すなわち、第２の画線群３ｂと第１の画線群３ａ´´は、第１の画線群３ａの高さ以下とする。潜像領域４を成す潜像部８ｂは、印刷面からの盛り上がりの高さが同じで垂直方向に平行して構成された第３の画線群４ａと、第３の画線群４ａよりも低い盛り上がりの高さが同じで垂直方向に平行して構成された第３の画線群４ａ´´が配置されている。また、第４の画線群４ｂは、第３の画線群４ａ´´と同じ盛り上がりの高さが同じで、第３の画線群４ａと第３の画線群４ａ´´に対して斜め４５度の角度を持って交差して構成されている。すなわち、第４の画線群４ｂと第３の画線群４ａ´´は、第３の画線群４ａの高さ以下とする。さらに、背景領域３を成す背景部８ａの第１の画線群３ａと潜像領域４を成す潜像部８ｂの第３の画線群４ａの高さは同じに構成され、背景領域３を成す背景部８ａの第２の画線群３ｂと潜像領域４を成す潜像部８ｂの第４の画線群４ｂは、高さが同じで平行して構成されている。すなわち、第１の画線群３ａ´´と第２の画線群３ｂと第３の画線群４ａ´´と第４の画線群４ｂの高さは、同じとする。またさらに、画線幅については、背景領域３の基本画線である第１の画線群３ａの画線幅は、図柄を形成させる上での所定程度の任意な画線幅であり、第２の画線群３ｂと第１の画線群３ａ´´の画線幅は、第１の画線群３ａよりも小さく（細く）及び／又は第１の画線群３ａと同じにさせている。潜像領域４の基本画線である第３の画線群４ａの画線幅は、図柄を形成させる上での所定程度の任意な画線幅であり、第４の画線群４ｂと第３の画線群４ａ´´の画線幅は、第３の画線群４ａよりも小さく（細く）及び／又は第３の画線群４ａと同じにさせている。第１の画線群３ａと第３の画線群４ａの画線幅は、同じにさせ、第１の画線群３ａ´´と第３の画線群４ａ´´の画線幅は、同じにさせ、第２の画線群３ｂと第４の画線群４ｂの画線幅は、同じにさせている。ピッチについては、画線面積率に応じて所定のピッチ���規則的に配置されている。
【００５０】
また、本実施の形態の特徴である第１の画線群３ａ´´と第２の画線群３ｂと第３の画線群４ａ´´と第４の画線群４ｂの構成要素について、さらに詳しく説明する。偽造防止印刷物Ａ２を斜めから観察した場合、潜像領域４の「Ｐ」文字が顕像と視認される理由は、凹版画線のインキの明度と基材の明度との明度差によるものであり、この明度差が高く（大きく）なると潜像領域４の「Ｐ」文字の視認がしやすくなり、この明度差が低く（小さく）なると潜像領域４の「Ｐ」文字の視認がしにくくなり、視認を妨げることになる。すなわち、基材が凹版画線に隠れるか隠れないかによって明度に影響を及ぼす。この視認の妨げとなり、明度に影響を及ぼす要因は三つある。
【００５１】
一つ目は、仮に第１の画線群３ａ´´と第２の画線群３ｂと第３の画線群４ａ´´と第４の画線群４ｂの画線高さは、第１の画線群３ａと第３の画線群４ａより高く（以上）、第１の画線群３ａ´´と第２の画線群３ｂと第３の画線群４ａ´´と第４の画線群４ｂの画線幅は、第１の画線群３ａと第３の画線群４ａよりも小さく（細く）及び／又は第１の画線群３ａと第３の画線群４ａと同じにさせ、第１の画線群３ａ´´と第２の画線群３ｂと第３の画線群４ａ´´と第４の画線群４ｂの画線ピッチは、第１の画線群３ａと第３の画線群４ａのそれぞれの画線面積率より低く（明るく）なるよう画線幅に応じてピッチを調整して、偽造防止印刷物Ａ２を斜めから観察した場合、画線高さによって第１の画線群３ａ´´と第２の画線群３ｂと第４の画線群４ｂで隣り合う画線との視角によって重なり合うため、基材を凹版画線が隠してしまい、凹版画線のインキの明度と基材の明度との明度差が低く（小さく）なり、潜像領域４の「Ｐ」文字の視認を妨げることになる。
【００５２】
二つ目は、仮に第１の画線群３ａ´´と第２の画線群３ｂと第３の画線群４ａ´´と第４の画線群４ｂの画線高さは、第１の画線群３ａと第３の画線群４ａより低く（以下）、第１の画線群３ａ´´と第２の画線群３ｂと第３の画線群４ａ´´と第４の画線群４ｂの画線幅は、第１の画線群３ａと第３の画線群４ａよりも小さく（細く）及び／又は第１の画線群３ａと第３の画線群４ａと同じにさせ、第１の画線群３ａ´´と第２の画線群３ｂと第３の画線群４ａ´´と第４の画線群４ｂの画線ピッチは、第１の画線群３ａと第３の画線群４ａのそれぞれの画線面積率より高く（暗く）なるよう画線幅に応じてピッチを調整して、偽造防止印刷物Ａ２を斜めから観察した場合、画線ピッチによって第１の画線群３ａ´´と第２の画線群３ｂと第４の画線群４ｂで隣り合う画線との視角によって重なり合うため、基材を凹版画線が隠してしまい、凹版画線のインキの明度と基材の明度との明度差が低く（小さく）なり、潜像領域４の「Ｐ」文字の視認を妨げることになる。
【００５３】
三つ目は、仮に第１の画線群３ａ´´と第２の画線群３ｂと第３の画線群４ａ´´と第４の画線群４ｂの画線高さは、第１の画線群３ａと第３の画線群４ａより高く（以上）、第１の画線群３ａ´´と第２の画線群３ｂと第３の画線群４ａ´´と第４の画線群４ｂの画線幅は、第１の画線群３ａと第３の画線群４ａよりも小さく（細く）及び／又は第１の画線群３ａと第３の画線群４ａと同じにさせ、第１の画線群３ａ´´と第２の画線群３ｂと第３の画線群４ａ´´と第４の画線群４ｂの画線ピッチは、第１の画線群３ａと第３の画線群４ａのそれぞれの画線面積率より高く（暗く）なるよう画線幅に応じてピッチを調整して、偽造防止印刷物Ａ２を斜めから観察した場合、画線高さと画線ピッチによって第１の画線群３ａ´´と第２の画線群３ｂと第４の画線群４ｂで隣り合う画線との視角によって重なり合うため、基材を凹版画線が隠してしまい、凹版画線のインキの明度と基材の明度との明度差が低く（小さく）なり、潜像領域４の「Ｐ」文字の視認を妨げることになる。
【００５４】
すなわち、第１の画線群３ａ´´と第２の画線群３ｂと第３の画線群４ａ´´と第４の画線群４ｂの構成要素は、画線高さが第１の画線群３ａと第３の画線群４ａより低く（以下）、画線幅が第１の画線群３ａと第３の画線群４ａよりも小さく（細く）及び／又は第１の画線群３ａと第３の画線群４ａと同じにし、画線ピッチが第１の画線群３ａと第３の画線群４ａのそれぞれの画線面積率より低く（明るく）なるよう画線幅に応じてピッチを調整して構成されている。偽造防止印刷物Ａ２を斜めから観察した場合、潜像領域４の「Ｐ」文字が顕像として、より視認しやすくなる条件は、第１の画線群３ａ´´と第２の画線群３ｂと第３の画線群４ａ´´と第４の画線群４ｂの上記の構成要素を充たし、凹版画線のインキが低明度（高濃度）の黒色で、基材が高明度（低濃度）の白色の場合、明度差がもっとも高く（大きく）なるので、より視認しやすくなる条件として最適である。
【００５５】
さらに、本実施の形態１では、背景領域３を成す背景部８ａと潜像領域４を成す潜像部８ｂは、長手方向に隣合せで表わされているが、潜像領域４を成す潜像部８ｂの潜像になる文字や図形の形状により配置位置は、上下左右のいずれかに配置される。さらに、第２の画線群３ｂを第１の画線群３ａに対して最も良い形態である斜め４５度の角度を持って交差する平行線を奏する画線で表わされているが、交差角度については限定されるものではない、だだし、本発明の作用の低下を防ぐために、第２の画線群３ｂを第１の画線群３ａに対して略３０〜６０°又は略１２０〜１５０°の異なった方向に配列されることが好ましい。また、第４の画線群４ｂを第３の画線群４ａに対して最も良い形態である斜め４５度の角度を持って交差する平行線を奏する画線で表わされているが、交差角度については限定されるものではない、だだし、本発明の作用の低下を防ぐために、第４の画線群４ｂを第３の画線群４ａに対して、略３０〜６０°又は略１２０〜１５０°の異なった方向に配列されることが好ましい。また、本実施の形態１では、背景領域３を成す背景部８ａの第２の画線群３ｂと潜像領域４を成す潜像部８ｂの第４の画線群４ｂは、平行線で表わされているが、第１の画線群３ａと第３の画線群４ａと交差する線であれば、平行を限定するものではない。
【００５６】
図１２は、図１１の構成を本発明の構成に配置された説明図である。図１２の偽造防止印刷物Ａ２に示されたように、印刷模様２は、背景領域３を成す背景部８ａと、潜像領域４を成す潜像部８ｂで構成されている。背景領域３を成す背景部８ａは、印刷模様２の背景を成す所定の位置に長手方向と垂直方向の両方向に沿って所定のピッチで規則的に配置され、潜像領域４を成す潜像部８ｂは、印刷模様２の潜像を成す所定の位置に長手方向と垂直方向の両方向に沿って所定のピッチで規則的に配置されている。すなわち、背景領域３を成す背景部８ａは、「Ｐ」文字以外の所定の位置に同じ背景領域３を成す背景部８ａを配置され、潜像領域４を成す潜像部８ｂは、「Ｐ」文字の所定の位置に同じ潜像領域４を成す潜像部８ｂを配置されている。
【００５７】
図１４は、画線の角度と形状のバリエーションを示した説明図である。本発明の画線は、図１４（ａ）に示されたように長手方向で直線のＷ０と、長手方向で波線の振幅の大きさが違うＷ１からＷ１０と、長手方向で直線の画線の途中で画線幅の違うＷ１１の中からの画線の選択で構成されている。また、図１４（ｂ）に示されたように垂直方向で直線のＷ０と、垂直方向で波線の振幅の大きさが違うＷ１からＷ１０と、垂直方向で直線の画線の途中で画線幅の違うＷ１１の中からの画線の選択で構成されている。これら画線の角度と画線の形状の違う画線を組み合わせることで本発明の画線として構成されている。しかし、同じ画線の形状の組み合わせで構成されてもかまわない。また、本実施の形態では、画線の角度を長手方向と垂直方向で表わされているが、角度を限定するものではない。さらに、本実施の形態では、画線幅を任意の幅で表わされているが、画線幅を限定するものではない。またさらに、本実施の形態では、画線の形状を波線の形状で表わされているが、画線の形状を限定するものではない。
【００５８】
図１５は、画線の角度と形状のバリエーションを示した説明図である。図１５は、図１４に示された画線幅よりも小さい（細い）画線幅で示されている。本発明の画線は、図１５（ａ）に示されたように長手方向で直線のＷ１２と、長手方向で波線の振幅の大きさが違うＷ１３からＷ２２の中からの画線の選択で構成されている。また、図１５（ｂ）に示されたように垂直方向で直線のＷ１２と、垂直方向で波線の振幅の大きさが違うＷ１３からＷ２２の中からの画線の選択で構成されている。図１４（ａ）と図１４（ｂ）で示されていた長手方向で直線の画線の途中で画線幅の違うＷ１１が図１５（ａ）と図１５（ｂ）でＷ２３として示されていないのは、画線幅が小さい（細い）ため、図で示されると視認しづらいので、示されていないだけで、構成としては可能である。これら画線の角度と画線の形状の違う画線を組み合わせることで本発明の画線として構成されている。しかし、同じ画線の形状の組み合わせで構成されてもかまわない。また、本実施の形態では、画線の角度を長手方向と垂直方向で表わされているが、角度を限定するものではない。さらに、本実施の形態では、画線幅を任意の幅で表わされているが、画線幅を限定するものではない。またさらに、本実施の形態では、画線の形状を波線の形状で表わされているが、画線の形状を限定するものではない。
【００５９】
図１４と図１５に示された画線のバリエーションは、図１０及び図１２に示された本発明の基本的な画線構成から成る第１の画線群３ａ、第２の画線群３ｂ、第３の画線群４ａ、第４の画線群４ｂの画線として置換えて構成されることもできる。また、画線の角度や画線の形状、画線幅についても自由に組み合わせることもできる。その自由に組み合わせた画線構成を斜めから観察すると、潜像模様が視認される。
【００６０】
（実施の形態３）
図１６は、本発明の画線構成のバリエーションを示した説明図である。図１６は、図１０に示された本発明の基本的な画線構成から成る第１の画線群３ａと第３の画線群４ａを波線に置き換えて構成された偽造防止印刷物Ａ３である。波線に置き換えた第１の画線群３ａと第３の画線群４ａは、画線の角度や画線の形状、画線幅についても自由に変更させることもできる。図１６の画線構成を斜めから観察すると、図１０に示された偽造防止印刷物Ａ１と同様に潜像画像が視認される。
【００６１】
（実施の形態４）
図１７は、本発明の画線構成のバリエーションを示した説明図である。図１７は、図１２に示された画線構成から成る第１の画線群３ａ、第１の画線群３ａ´´、第３の画線群４ａ、第３の画線群４ａ´´を波線に置き換えて構成された偽造防止印刷物Ａ４である。波線に置き換えた第１の画線群３ａ、第１の画線群３ａ´´、第３の画線群４ａ、第３の画線群４ａ´´は、画線の角度や画線の形状、画線幅についても自由に変更させることもできる。図１７の画線構成を斜めから観察すると、図１０に示された偽造防止印刷物Ａ１と同様に潜像画像が視認される。
【００６２】
（実施の形態５）
図１８は、本発明の画線構成のバリエーションを示した説明図である。図１８は、図１０に示された本発明の基本的な画線構成から成る第２の画線群３ｂ、第４の画線群４ｂを連続階調における濃度段階に従った画線の長さに置き換えて構成された偽造防止印刷物Ａ５である。連続階調における濃度段階を有する場合の階調を簡単に示されると図２に示された画線の長さ５のように構成される。連続階調における濃度段階に従った画線の長さに置き換えた第２の画線群３ｂ、第４の画線群４ｂは、画線の角度や画線の形状、画線幅についても自由に変更させることもできる。図１８の画線構成を斜めから観察すると、図１０に示された偽造防止印刷物Ａ１と同様に潜像画像が視認される。
【００６３】
（実施の形態６）
図１９は、本発明の画線構成のバリエーションを示した説明図である。図１９は、図１２に示された画線構成から成る第１の画線群３ａ´´、第２の画線群３ｂ、第３の画線群４ａ´´、第４の画線群４ｂを連続階調における濃度段階に従った画線の長さに置き換えて構成された偽造防止印刷物Ａ６である。連続階調における濃度段階を有する場合の階調を簡単に示されると図２に示された画線の長さ５のように構成される。連続階調における濃度段階に従った画線の長さに置き換えた第１の画線群３ａ´´、第２の画線群３ｂ、第３の画線群４ａ´´、第４の画線群４ｂは、画線の角度や画線の形状、画線幅についても自由に変更させることもできる。図１９の画線構成を斜めから観察すると、図１０に示された偽造防止印刷物Ａ１と同様に潜像画像が視認される。
【００６４】
（実施の形態７）
図２０は、本発明の画線構成のバリエーションを示した説明図である。図２０は、図１２に示された画線構成から成る第１の画線群３ａ´´、第３の画線群４ａ´´を連続階調における濃度段階に従った画線の長さに置き換えて構成された偽造防止印刷物Ａ７である。連続階調における濃度段階を有する場合の階調を簡単に示されると図２に示された画線の長さ５のように構成される。連続階調における濃度段階に従った画線の長さに置き換えた第１の画線群３ａ´´、第３の画線群４ａ´´は、画線の角度や画線の形状、画線幅についても自由に変更させることもできる。図２０の画線構成を斜めから観察すると、図１０に示された偽造防止印刷物Ａ１と同様に潜像画像が視認される。
【００６５】
（実施の形態８）
図２１は、本発明の画線構成のバリエーションを示した説明図である。図２１は、図１２に示された画線構成から成る第１の画線群３ａ´´、第３の画線群４ａ´´を連続階調における濃度段階に従った画線の長さに置き換えて構成された偽造防止印刷物Ａ８である。さらに、図２１は、図２０に示された第１の画線群３ａ´´、第３の画線群４ａ´´の角度を変更させたものである。連続階調における濃度段階を有する場合の階調を簡単に示されると図２に示された画線の長さ５のように構成される。連続階調における濃度段階に従った画線の長さに置き換えた第１の画線群３ａ´´、第３の画線群４ａ´´は、画線の角度や画線の形状、画線幅についても自由に変更させることもできる。図２１の画線構成を斜めから観察すると、図１０に示された偽造防止印刷物Ａ１と同様に潜像画像が視認される。
【００６６】
図１６から図２１に示された本発明の画線構成のバリエーションは、ほんの一部であり、画線の角度や画線の形状、画線幅の組み合わせを変更すれば、無数のバリエーションの画線構成が作製される。すなわち、本発明の印刷模様の画線構成を用いれば、連続階調における濃度段階を有する図柄にあるモティーフ（人物、風景、物体、模様等）や地紋などの階調が無いものに文字や図形などの潜像模様を自由に入れることができる。階調が連続階調における濃度段階を有する階調は、図１８、図１９、図２０、図２１にも示されている。階調が無いものは、図１０、図１２、図１６、図１７にも示されている。
【００６７】
（実施の形態９）
図２２は、本発明の画線構成を図柄にあるモティーフ（人物、風景、物体、模様等）に入れたときの画線構成の一部の拡大図である。図２２の偽造防止印刷物Ａ９に示されたように、印刷模様２の背景領域３を成す階調模様９ａに潜像領域４の「Ｐ」文字を入れた構成になっている。潜像領域４の「Ｐ」文字の一部を拡大すると拡大図１０ａのように示される。拡大図１０ａに示されている画線構成は、本発明の画線構成である図１８と同様である。拡大図１０ａに示されている第２の画線群３ｂと第４の画線群４ｂは、階調模様の連続階調における濃度段階に従った画線の長さに変化される。また、階調模様の連続階調における濃度段階によって第１の画線群３ａは、図１４に示されたＷ１１のように画線幅が画線の途中から変化される場合や図３に示された画線群３ｃも加わる場合もある。この偽造防止印刷物Ａ９の印刷面を真正面から見て観察した場合、施されている潜像領域４の「Ｐ」文字を容易に認識することができないが、斜めから観察した場合、例えば、凹版インキのような盛り上がった画線では、第１の画線群３ａで隣り合う画線との視角によって重なり合うため、実際の潜像部を成す第３の画線群４ａよりも低明度（高濃度）となる。これにより、潜像領域４の「Ｐ」文字が顕像となって出現する。
【００６８】
図２３は、本発明の画線構成を図柄にあるモティーフ（人物、風景、物体、模様等）に入れたときの画線構成の一部の拡大図である。図２３の偽造防止印刷物Ａ９に示されたように、印刷模様２の背景領域３を成す階調模様９ａに潜像領域４の「Ｐ」文字を入れた構成になっている。潜像領域４の「Ｐ」文字以外の一部を拡大すると拡大図１０ｂのように示される。拡大図１０ｂに示されている画線構成は、本発明の画線構成である図１８と同様である。拡大図１０ｂに示されている第２の画線群３ｂは、階調模様の連続階調における濃度段階に従った画線の長さに変化される。また、階調模様の連続階調における濃度段階によって第１の画線群３ａは、図１４に示されたＷ１１のように画線幅が画線の途中から変化される場合や図３に示された画線群３ｃも加わる場合もある。さらに、拡大図１０ｂに示されている潜像領域４の「Ｐ」文字以外の画線構成は、図２に示されるように凹版画線の画線構成とも同様である。
【００６９】
すなわち、図２２と図２３に示されたように、本発明の印刷模様の画線構成を用いれば、凹版画線の画線構成で作製されている階調模様９ａに潜像領域４の「Ｐ」文字を入れることができる。また、図７に示したように凹版画線の画線構成と潜像凹版の画線構成の組み合わせのように画線構成の違いによる違和感が生じるのではなく、凹版画線の画線構成と潜像凹版の画線構成の違いを本発明の印刷模様の画線構成を用いることにより画線どうしをなじませ、違和感なく意匠性に優れた偽造防止印刷物Ａ９ができる。
【００７０】
（実施の形態１０）
図２４は、本発明の画線構成を図柄にあるモティーフ（人物、風景、物体、模様等）に入れたときのバリエーションを示した説明図である。図２４の偽造防止印刷物Ａ１０に示されたように、印刷模様２の第１の背景を成す階調模様９ａと第２の背景を成す階調模様９ｂと第３の背景を成す階調模様９ｃで構成されている。また、第１の背景を成す階調模様９ａには、潜像領域４の「Ｐ」文字を入れ、第２の背景を成す階調模様９ｂには、潜像領域４を入れず、第３の背景を成す階調模様９ｃには、潜像領域４の「Ａ」文字を入れている。階調模様９ａと階調模様９ｃに入れている潜像領域４は、「Ｐ」文字と「Ａ」文字のように違うが、画線構成については図２２に示された拡大図１０ａの画線構成と同等である。階調模様９ｂには、潜像模様を入れていないので、画線構成については図２３に示された拡大図１０ｂと同等である。このように図２４に示された偽造防止印刷物Ａ１０は、階調模様９ａ、階調模様９ｂ、階調模様９ｃで構成され、それぞれ潜像模様の違いや潜像模様が入っていなかったりするが、この偽造防止印刷物Ａ１０の印刷面を真正面から見て観察した場合、この四つすべての階調模様は、同じ階調模様に視認される。すなわち、本発明の印刷模様の画線構成を用いれば、好みの図柄にあるモティーフ（人物、風景、物体、模様等）に複数違う情報の潜像模様である文字や図形などを自由に違和感なく画線になじませ、意匠性に優れた偽造防止印刷物を作製することができる。また、この四つすべての階調模様の見た目と画線構成は同じであるが、潜像模様を「Ｐ」文字と「Ａ」文字のように違えたり、潜像模様を入れなかったりするなど、複数違う情報を入れることができる。これは、本発明の印刷模様の画線構成によるものであり、凹版画線の画線構成と潜像凹版の画線構成の違いを本発明の印刷模様の画線構成を用いることにより画線どうしをなじませ、各偽造防止技術の画線構成等の分割が困難になり偽造や変造が容易でなくなるなど、偽造防止策が高い印刷物を作製することができる。
【符号の説明】
【００７１】
Ａ１、Ａ２、Ａ３、Ａ４、Ａ５、Ａ６、Ａ７、Ａ８、Ａ９、Ａ１０          偽造防止印刷物
ａ１、ａ２、ａ４、ａ５、ａ５、ａ６          偽造防止印刷物
１          基材
２          印刷模様
２´          印刷模様
３          背景領域
３´          背景領域
３ａ          第１の画線群
３ａ´          画線群
３ａ´´          第１の画線群
３ｂ          第２の画線群
３ｂ´          画線群
３ｃ´          画線群
４          潜像領域
４´          潜像領域
４ａ          第３の画線群
４ａ´          画線群
４ａ´´          第３の画線群
４ｂ          第４の画線群
５          画線の長さ
６          枠模様
７          カモフラージュ模様
８ａ          背景部
８ｂ          潜像部
９ａ          階調模様
９ｂ          階調模様
９ｃ          階調模様
１０ａ          拡大図
１０ｂ          拡大図
Ｗ０          画線幅と形状と角度
Ｗ１          画線幅と形状と角度
Ｗ２          画線幅と形状と角度
Ｗ３          画線幅と形状と角度
Ｗ４          画線幅と形状と角度
Ｗ５          画線幅と形状と角度
Ｗ６          画線幅と形状と角度
Ｗ７          画線幅と形状と角度
Ｗ８          画線幅と形状と角度
Ｗ９          画線幅と形状と角度
Ｗ１０          画線幅と形状と角度
Ｗ１１        画線幅と形状と角度
Ｗ１２        画線幅と形状と角度
Ｗ１３        画線幅と形状と角度
Ｗ１４        画線幅と形状と角度
Ｗ１５        画線幅と形状と角度
Ｗ１６        画線幅と形状と角度
Ｗ１７        画線幅と形状と角度
Ｗ１８        画線幅と形状と角度
Ｗ１９        画線幅と形状と角度
Ｗ２０        画線幅と形状と角度
Ｗ２１        画線幅と形状と角度
Ｗ２２        画線幅と形状と角度
【図１】
0006381037.tif 000002
【図２】
0006381037.tif 000003
【図３】
0006381037.tif 000004
【図４】
0006381037.tif 000005
【図５】
0006381037.tif 000006
【図６】
0006381037.tif 000007
【図７】
0006381037.tif 000008
【図８】
0006381037.tif 000009
【図９】
0006381037.tif 000010
【図１０】
0006381037.tif 000011
【図１１】
0006381037.tif 000012
【図１２】
0006381037.tif 000013
【図１３】
0006381037.tif 000014
【図１４】
0006381037.tif 000015
【図１５】
0006381037.tif 000016
【図１６】
0006381037.tif 000017
【図１７】
0006381037.tif 000018
【図１８】
0006381037.tif 000019
【図１９】
0006381037.tif 000020
【図２０】
0006381037.tif 000021
【図２１】
0006381037.tif 000022
【図２２】
0006381037.tif 000023
【図２３】
0006381037.tif 000024
【図２４】
0006381037.tif 000025